(57)【要約】【課題】自動車やバイクなどの移動する車両を、低コストで広告・宣伝媒体として有効活用する印刷シートの提供。【解決手段】飼育する愛玩動物の写真又はイラスト画及び個体情報が印刷記載された、動物飼育者が第三者に見せる目的で貼り付け表記したい固有情報の中に、広告・宣伝を希望する者が貼り付け表記したい広告・宣伝・実績情報を印刷併記させでも、動物飼育者の対象物への貼り付け確立又は第三者への表示確立を向上させたことを特徴とする接着性シート。【選択図】図１
2007003741.tif 000002
【特許請求の範囲】
【請求項１】
動物の各個体の顔又は身体の写真又はイラスト画を印刷してある、耐光性を有する接着性シート。
【請求項２】
動物の種別分類名・命名される名前及び生年月日・血統書記載情報の各個体固有の情報を記載してある、請求項１記載の接着性シート。
【請求項３】
動物の個体を繁殖及び流通・販売・提供又は動物に関する商品を製造及び販売する者の名称・商標・ホームページアドレスの広告・宣伝となる情報が記載してある、請求項１又は２記載の接着性シート。
【請求項４】
名所・旧跡・観光地及び観光資源又は名産品の文字又は写真・イラスト画を記載してある、請求項１，２又は３記載の接着性シート。
【発明の詳細な説明】
【技術分野】
【０００１】
本発明は、個々の動物を表示する写真又はイラスト画を利用して広告宣伝することができる屋内外での使用を目的とした、接着性シートに関するものである。
【背景技術】
【０００２】
従来、動物の写真又はイラスト画が印刷してある接着性シートは、大量生産によるもので、図鑑や血統書・品表会で優勝するような体形を持った動物の写真・イラスト画又はシルエットが使われている。
【０００３】
また、この印刷物には、動物生態を表示する写真・イラスト画又はシルエットの他に、動物の種別分類名が記載されている接着性シートも存在する。
【０００４】
動物飼育者は、自己の飼育する動物の写真又はイラスト画・シルエット及び種別分類名が記載されている接着性シートを、自己の飼育する動物の可愛さを第三者に表現するための一つの手段として購入し、自己の所有する自動車後部又は側面に貼り付けて、街中を走行しているのをよく目にする。
【０００５】
接着性フィルムを利用した移動可能な広告方法としては、公共交通機関の車両の一部又は全部に広告宣伝を印刷した接着性シートを貼り付けた手法（特許文献１）が公開されており、不特定多数の第三者に広告宣伝する手法として、優れた効果を発揮している。
【特許文献１】特開２００２−１２０６３７号公報
【０００６】
また、広告・宣伝を目的とする企業の商標・イラスト画を印刷した接着性シートは、公知として存在しているが、単なる企業広告シールは、そのデザイン性に優れた物・企業の知名度が有るものでないと、貼り付けて使用されることは非常に少ない。
【発明の開示】
【発明が解決しようとする課題】
【０００７】
しかしながら、大量生産する接着性シートにおいては、各個人が飼育又は飼育しようとしている動物の、顔又は頭部あるいは身体は、同じ動物としての人間と同じように、個体ごとに容姿が異なるが、小ロット生産対応出来ないことから、汎用できる基準体形の生体が表示された、屋内外用接着シートが存在するのみで、個々の生体を表示する印刷物の生産出来ない。
【０００８】
個人が自宅のOA機器を使い、飼育している又は飼育しようとする動物の容姿及び特長を印刷加工した写真・イラスト画又はシルエット及び文字を印刷した屋内用接着シートを製造することは可能であるが、個人における屋外の使用を目的とした印刷接着性シートの加工製造は、印刷シート・印刷インク及び印刷機特性から不可能である。
【０００９】
動物生態を生産・販売及び動物に関する食品・飲料・雑貨商品の広告宣伝方法としては、テレビ・ラジオ・新聞・雑誌・ホームページ・店頭でのカタログ配布が宣伝媒体及び宣伝手法として利用されているが、テレビ・ラジオ・新聞・雑誌の広告掲載は多額の費用を有し、費用を掛けない手法の場合は、消費者の目に触れる機会が少なくいと言う課題が存在する。
【００１０】
特許文献１（特開２００２−１２０６３７号公報）においては、公共機関の車両の外装を貸し切る形になるので、優れた宣伝効果はあるが、多額の費用は掛かる。またこの手法では、管理方法の問題と個所有者の心情から個人所有の車では不可能である
【００１１】
この発明は、以上の点に着目したもので、その目的は屋内外で使用する接着性シートによる、動物生態一頭ごとの容姿及び身体的特徴と文字を印刷した該シートを、広告宣伝媒体として低コストで活用する手段を提供することである。
【課題を解決するための手段】
【００１２】
前記目的を達成するための第一の発明は、動物を販売又は提供する者又は動物を飼育する者が、該動物の顔または頭あるいは身体の一部又は全部を撮影した写真又はデジタル処理した一枚又は二枚以上の写真を、耐光性・耐水生を有する屋内外での使用に耐えうるインク及びシートを使い印刷加工した、接着性を有するシートを特徴とする。
【００１３】
接着性とは、天然素材を原料した接着剤又は化学素材を原料とした接着剤をシートに塗布して、貼り付け機能を持たせたものを言う。また、該接着剤を塗布しなくても、シート自身に接着性を持たせたもの、更には該シートの上から透明樹脂又はガラスをコーティングしたもの、樹脂成型品などの外部応力により貼り付けるものも含むものとする。
【００１４】
またシートとは、紙・布・不織布・樹脂・金属・陶器素材・木材の単独または複合した、0.001ｍｍから10ｍｍの厚さを有する印刷可能な素材を言い、樹脂においてはフィルム、また接着剤をシートに塗布したものとしては、シール・ラベル・ステッカーともいう。
【００１５】
動物とは、飼育又は飼育しようとするペット動物を言うが、飼育者が過去に飼育した動物又はペット動物以外の人間も含む動物を含むものとする。
【００１６】
第二の発明は、シートに印刷する該動物固体ごとの固有情報を文字が、同一印刷シート内に記載することを特徴とする。
【００１７】
固有情報としては、飼育する動物又は飼育していた動物あるいは飼育しようとする動物の、飼育者が命名した名前・動物種別分類名・生年月日・血統書に記載される情報・思い出コメントを言う。
【００１８】
第三の発明は、動物の顔または頭あるいは身体の一部又は全部を撮影した写真またはデジタル処理した写真及び動物の固有情報を記載するシート内に、該動物を販売又は提供する者あるいは金銭的または非金銭的に有益を求める者が、自己の広告宣伝あるいは実績表示目的とした、自己の有する商標または使用許諾を得た第三者の商標あるいは任意で設定したデザイン画又は文字による、企業名・商品名・商品キャッチコピー・ホームページアドレス・電話番号を、同一印刷シート内に記載することを特徴とする。
【００１９】
金銭的または非金銭的に有益を求める者とは、該動物の繁殖・育成・流通・販売する個人または企業の、該動物に関する商品・サービスを提供する者あるいは動物に関する団体又は宗教法人・医療機関を言うが、動物に関連しない企業・商品を提供する者又は商品であっても良いものとする。
【００２０】
第四の発明は、名所旧跡・祭事・名産品を写真・イラスト画又は文字と供に、該動物の顔または頭あるいは身体の一部又は全部を撮影した写真又はデジタル処理した一枚又は二枚以上の写真を、同一シート内に印刷するこることを特徴とする。
【発明の効果】
【００２１】
本発明により次のような効果が有る。
本発明は、該動物の購入者又は既に購入し飼育している者が、愛玩する該動物の個体写真又は個体を撮影したビデオの一コマと、固有情報として命名した名前や種別分類名を、屋内外で使用できるシートに印刷することで、飼育者の独自性を表現できる印刷物を提供することができる。
【００２２】
特に、動物を販売又は購入する時は、生後２ヶ月から１年以内の生体なので、その体形及び顔つきは、大人の成長したものと異なる。また成長した場合においても顔つきは固体ごとに丸顔・面長・耳の形状・体形・毛の長さが固体ごとに異なり、飼育生体がモデル体形と異なることから、飼育生体を屋内外用接着シートに利用することは、優れた特徴を持たせることができる。
【００２３】
この屋外に使用できる、飼育者の独自性を表現できる印刷物は、屋外で移動する物としては、自動車・バイク・自転車・バイクヘルメット・ベビーカー・ペット用キャリーカーに貼り付けることができる。また、非移動物としては、窓ガラス・ドア・門の屋外施設物にも貼り付けることができる。
【００２４】
この屋内外の使用に耐えうる印刷シートを提供することで、該動物の購入者又は既に購入し飼育している者購入者は、その愛玩する該動物の印刷してある屋外用印刷シートを、自己顕示・動物の所有表現又は該動物の可愛さを第三者に表現しようとするので、本シートを有効な広告宣伝媒体として利用できる。
【００２５】
この該屋内外用印刷シートを、広告宣伝媒体として企業又は個人の有する、商標又は使用許諾を得た第三者の商標、あるいは任意で設定したデザイン画又は文字による、企業名・商品名・商品キャッチコピー・ホームページアドレス・電話番号を、屋内外の移動する物又は屋内外固定設置物に貼り付ければ、安価なコストで、動物飼育者以外の不特定多数の第三者に対し、優れた宣伝媒体として効果を発揮する。
【００２６】
例として、自動車後部に該印刷シートを貼り付けた場合は、自動車走行時においては後続する自動車の運転者または同乗者に対して、また駐車時においては、その車の周囲を通過する歩行者に対して、低価格で設置できる該シートが宣伝広告効果を発揮することができる。
【００２７】
該印刷シートは、印刷情報に写真と会員情報を印刷記載することで、本動物を識別証明するＩＤシートとしての、特徴を持たせることができる。
又、ＩＤシートとして利用する場合は、該シート印刷時にフォログラフ又は粉体加工した反射ラメ材をインクに混合して使用することで、複製防止機能を持たせることができる。
【００２８】
飼育する生体の生存年限によっては、該生体の年齢を該シートで表現する方法として、その印刷シートの背景色を、人間で言う誕生月の宝石色や風水色・指定色で幼少動物を表現し、成長した動物や老齢に至った場合の動物においては、各長寿祝いの色を背景色に使うことで、該印刷物に特徴を持たせることもできる。
【００２９】
該動物の接着性シートの構図の中に、名所旧跡・祭り・名産品を写真又はイラスト画あるいは文字を印刷することで、地域観光及び産物の広告・宣伝ができるのと同時に、動物飼育者の土産品・記念品更には地域限定品として、広告・宣伝効果を提供できることを特徴とする。
【発明を実施するための最良の形態】
【００３０】
図１は、広告・宣伝機能を有する、動物個体写真を利用した屋外用印刷物の構成図の一例である。
【００３１】
図１では、長方形のシートを表示するが、丸・楕円形・三角形・正方形・五角形・六角形・ハート形などのデザイン形状でも良いものとするが、大きさを含めて特に限定されない。カットまたは打ち抜いた屋内外用印刷物シート１に飼育する動物の写真２を印刷する。写真は撮影したそのままの状態・デジタル処理して対象物をトリミング加工した写体、またはその写体を単色コントラスト加工したてものでもよい。同じシート内に生体の固体情報として、販売または飼育する生体の名前または愛称名３−a ・生体分類名３−b ・生年月日３−c ・血統書記載情報３−d  を印刷している。生体生存年月日・身長・体重・血液型・個体の性格表現も生体の個体情報である。この生体に関する情報に加えて広告・宣伝表示４を表示している。
【００３２】
図２は、動物標準生体図を利用した印刷シート５を比較参考例として表示する。
動物の標準生体６が表示されて、個体の属する生体分類名称７が記載してある。
【００３３】
図３は、製作依頼者が生体を飼育する個人の場合の屋内外用印刷シート８である、生体写真は日常生活の中で撮影したスナップ写真９を参考として表示している。飼育する生体の名前または愛称名１０−a ・生体種別分類名１０−b ・撮影年月日１０−c ・受賞・表彰名１０−d  ・生体育成年月日１０−e  ・飼育者名１１を印刷している。表彰する記念シートとして利用する場合は、表彰する団体名を記載してもよい。
【００３４】
図４は、動物を同行しての旅行先を記載した屋内外用印刷シート１２の一例である。名所旧跡・祭り・名産品を写真又はイラスト画あるいは文字１３を表示し、飼育する動物写真１４を表示し、その撮影日１５を記載している。
【産業上の利用可能性】
【００３５】
本発明は、広告・宣伝手法において、低価格な広告・宣伝媒体として利用できるものである。
【図面の簡単な説明】
【００３６】
【図１】屋内外用印刷物シート参考図
【図２】動物標準生体図を利用した印刷シート図
【図３】製作依頼者が生体を飼育する個人の場合の屋内外用印刷シート参考図
【図４】動物を同行しての旅行先を記載した屋内外用印刷シート参考図
【符号の説明】
【００３７】
１    屋内外用印刷物シート１
２    飼育する動物の写真２
３    動物個体情報
３a   販売または飼育する生体の名前または愛称名
３b   生体分類名
３c   生年月日
３d   血統書記載情報
４    広告・宣伝表示
５    動物標準生体図を利用した印刷シート
６    動物の標準生体
７    個体の属する生体分類名称
８    製作依頼者が生体を飼育する個人の場合の屋内外用印刷シート
９    スナップ写真
１０  動物個体情報
１０a 飼育する生体の名前または愛称名
１０b 生体種別分類名
１０c 撮影年月日
１０d 受賞・表彰名
１０e 生体育成年月日
１１  飼育者名
１２  動物を同行しての旅行先を記載した屋内外用印刷シート
１３  名所旧跡・祭り・名産品を写真又はイラスト画あるいは文字
１４  飼育する動物写真
１５  撮影日
【図１】
2007003741.tif 000003
【図２】
2007003741.tif 000004
【図３】
2007003741.tif 000005
【図４】
2007003741.tif 000006